(57)【要約】【課題】吸収冷凍機（或いは吸収冷温水機）と圧縮式冷凍機と組み合わせた複合空調装置であって、圧縮式冷凍機側で運転条件の違いによって圧縮機による冷媒搬送とポンプによる冷媒搬送とを切り換えることが出来て、省エネルギ性に優れた複合空調装置及びその制御方法の提供。【解決手段】駆動熱源として排熱を利用可能に構成された吸収冷温水機１と、圧縮機２１と、冷媒を循環させるポンプ２２と、吸収冷温水機１の蒸発器１３と圧縮機とポンプと冷房負荷とに連通する配管系Ｌと、該配管系に介装されて配管系を流れる冷媒の流路を切り換える切換機構と、制御手段とを有し、該制御手段は、運転条件に対応して、圧縮機とポンプの何れか一方のみを冷房負荷及び／又は吸収冷温水機の蒸発器に連通させるべく、前記切換機構を切り換え、以って冷媒が循環する流路を決定する制御を行う様に構成されている。【選択図】  図１
2006038241.tif 000002
【特許請求の範囲】
【請求項１】
駆動熱源として排熱を利用可能に構成された吸収冷温水機と、圧縮機と、冷媒を循環させるポンプと、吸収冷温水機の蒸発器と圧縮機とポンプと冷房負荷とに連通する配管系と、該配管系に介装されて配管系を流れる冷媒の流路を切り換える切換機構と、制御手段とを有し、該制御手段は、運転条件に対応して、圧縮機とポンプの何れか一方のみを冷房負荷及び／又は吸収冷温水機の蒸発器に連通させるべく、前記切換機構を切り換える制御を行う様に構成されていることを特徴とする複合空調装置。
【請求項２】
吸収冷温水機の蒸発器における温度及び／又は圧力を検出する検出手段を有しており、前記制御手段は、吸収冷温水機の蒸発器における温度及び／又は圧力が閾値以上であれば圧縮機を冷房負荷及び／又は吸収冷温水機の蒸発器に連通し、吸収冷温水機の蒸発器における温度及び／又は圧力が閾値を下回っていればポンプを冷房負荷及び／又は吸収冷温水機の蒸発器に連通する制御を行う様に構成されている請求項１の複合空調装置。
【請求項３】
駆動熱源として排熱を利用可能に構成された吸収冷温水機と、圧縮機と、冷媒を循環させるポンプと、吸収冷温水機の蒸発器と圧縮機とポンプと冷房負荷とに連通する配管系と、該配管系に介装されて配管系を流れる冷媒の流路を切り換える切換機構と、吸収冷温水機の蒸発器における温度及び／又は圧力を検出する検出手段とを有する複合空調装置の制御方法において、前記検出手段により吸収冷温水機の蒸発器における温度及び／又は圧力を検出する工程と、吸収冷温水機の蒸発器における温度及び／又は圧力が閾値以上であれば圧縮機を冷房負荷及び／又は吸収冷温水機の蒸発器に連通する様に前記切換機構を制御し、吸収冷温水機の蒸発器における温度及び／又は圧力が閾値を下回っていればポンプを冷房負荷及び／又は吸収冷温水機の蒸発器に連通する様に前記切換機構を制御する工程、とを有していることを特徴とする複合空調装置の制御方法。
【発明の詳細な説明】
【技術分野】
【０００１】
本発明は、吸収冷凍機（或いは吸収冷温水機）と圧縮式冷凍機と組み合わせて構成された空調装置（複合空調装置）に関する。
【背景技術】
【０００２】
コージェネレーションシステムでは、電気と共に、高温の排ガス、蒸気、温水等が供給される。この排熱源は、吸収冷温水機を用いて冷暖房に利用することが出来る。しかし、排熱単独で吸収冷温水機を運転することは、排熱供給量が少ない場合や、排熱の供給そのものが不安定である場合を想定すると、困難なことがある。また、吸収式冷温水機は、水を冷熱源として用いるため、水が使えない施設、例えばコンピュータ室等については適用し難い。これらを解決するために、吸収式冷凍機の冷熱を圧縮式冷凍機の放熱源として用いる冷凍装置や、吸収式冷凍機の冷熱を圧縮式冷媒を用いてポンプ搬送する冷凍装置、或いはその両者のいずれかを空冷或いは水冷の圧縮式冷凍機と組み合わせた冷凍装置等が知られている（例えば、特許文献１参照）。
【０００３】
しかし、上述の技術では、吸収式冷凍機の熱源熱量が多くなった場合や、部分負荷時の様な、運転条件の違いによって、圧縮機による冷媒搬送と、ポンプによる冷媒搬送とを切り換えることについて、考慮されていない。
【０００４】
また、排熱供給や冷房負荷の増減に対しての対応を考慮した技術も、従来、提案されてはいる（例えば、特許文献２〜６）。
しかし、これらの技術では、吸収式冷温水機の蒸発器を圧縮式冷凍機の凝縮器として使用していない。
ここで、吸収式冷温水機の蒸発器を圧縮式冷凍機の凝縮器として使用することは、吸収式冷温水機を循環する冷媒と圧縮式冷凍機を循環する冷媒との間で潜熱―潜熱の熱交換を行う必要がある。吸収式冷温水機の蒸発器においては、圧縮式冷凍機の冷媒が流れるライン（いわゆる「冷水ライン」）を構成する配管内面に接触する冷媒が、気相状態（冷媒蒸気）であるか液相状態（液冷媒）であるかにより、伝熱性能が変わってしまう。そのため、熱交換の制御が、技術的に困難と考えられており、吸収式冷温水機の蒸発器を圧縮式冷凍機の凝縮器として使用することは、困難であると考えられていた。
【０００５】
即ち、特許文献１に開示されている従来技術は部分負荷運転時等の様に運転条件が異なる場合について全く考慮されておらず、特許文献２〜６で開示されている従来技術は定格運転時における省エネルギ性が不十分であり、省エネルギの要請に十分に応えるものではなかった。
【特許文献１】特開２０００−２４１０４２号公報
【特許文献２】特開２００３−３０７３６０号公報
【特許文献３】特開２００３−３０７３６１号公報
【特許文献４】特開２００３−３０７３６２号公報
【特許文献５】特開２００３−３０７３６３号公報
【特許文献６】特開２００３−３０７３６４号公報
【発明の開示】
【発明が解決しようとする課題】
【０００６】
本発明は上述した従来技術の問題点に鑑みて提案されたものであり、吸収冷凍機（或いは吸収冷温水機）と、圧縮式冷凍機とを組み合わせた複合空調装置であって、圧縮式冷凍機側で運転条件の違いによって圧縮機による冷媒搬送とポンプによる冷媒搬送とを切り換えることが出来て、省エネルギ性に優れた複合空調装置及びその制御方法の提供を目的としている。
【課題を解決するための手段】
【０００７】
本発明の複合空調装置（Ａ，Ｂ）は、駆動熱源として排熱を利用可能に構成された吸収冷温水機（或いは吸収冷凍機：１）と、圧縮機（２１）と、冷媒を循環させるポンプ（２２）と、吸収冷温水機（１）の蒸発器（１３）と圧縮機（２１）とポンプ（２２）と冷房負荷（冷房するべき室内の蒸発器２０）とに連通する配管系（冷媒循環系Ｌ）と、該配管系（冷媒循環系Ｌ）に介装されて配管系を流れる冷媒の流路を切り換える切換機構（例えば、開閉弁Ｖ１〜Ｖ１０、切換弁（４方弁）Ｖｃ；Ｖｃ１、Ｖｃ２、三方弁３，８等）と、制御手段（コントロールユニット５０）とを有し、該制御手段（コントロールユニット５０）は、運転条件に対応して、圧縮機（２１）とポンプ（２２）の何れか一方のみを冷房負荷及び／又は吸収冷温水機（１）の蒸発器（１３）に連通させるべく、前記切換機構を切り換え、以って冷媒が循環する流路を決定する制御を行う様に構成されている（請求項１）。
【０００８】
本発明において、吸収冷温水機（１）の蒸発器（１３）における温度及び／又は圧力を検出する検出手段（温度センサ及び／又は圧力センサＳｒ１）を有しており、前記制御手段（５０）は、吸収冷温水機（１）の蒸発器（１３）における温度及び／又は圧力が閾値以上であれば圧縮機（２１）を冷房負荷及び／又は吸収冷温水機（１）の蒸発器（１３）に連通し、吸収冷温水機（１）の蒸発器（１３）における温度及び／又は圧力が閾値を下回っていればポンプ（２２）を冷房負荷及び／又は吸収冷温水機（１）の蒸発器（１３）に連通する制御を行う様に構成されているのが好ましい（請求項２）。
【０００９】
本発明の複合空調装置の制御方法は、駆動熱源として排熱を利用可能に構成された吸収冷温水機（或いは吸収冷凍機：１）と、圧縮機（２１）と、冷媒を循環させるポンプ（２２）と、吸収冷温水機（１）の蒸発器（１３）と圧縮機（２１）とポンプ（２２）と冷房負荷（冷房するべき室内の蒸発器２０）とに連通する配管系（Ｌ）と、該配管系（Ｌ）に介装されて配管系を流れる冷媒の流路を切り換える切換機構（例えば、開閉弁Ｖ１〜Ｖ１０、切換弁（４方弁）Ｖｃ；Ｖｃ１、Ｖｃ２、三方弁３，８等）と、吸収冷温水機（１）の蒸発器（１３）における温度及び／又は圧力を検出する検出手段（温度センサ及び／又は圧力センサＳ１）とを有する吸収冷温水機（１）の制御方法であって、検出手段（温度センサ及び／又は圧力センサＳ１）により吸収冷温水機（１）の蒸発器（１３）における温度及び／又は圧力を検出する工程（Ｓ１）と、吸収冷温水機（１）の蒸発器（１３）における温度及び／又は圧力が閾値以上であれば圧縮機（２１）を冷房負荷及び／又は吸収冷温水機（１）の蒸発器（１３）に連通するように前記切換機構を制御（Ｓ３）し、吸収冷温水機（１）の蒸発器（１３）における温度及び／又は圧力が閾値を下回っていればポンプを冷房負荷及び／又は吸収冷温水機の蒸発器に連通する様に前記切換機構を制御する工程（Ｓ４）、とを有している（請求項３）。
【００１０】
前記吸収式冷温水機（１）側の排熱源は限定しない。熱機関や工場排熱なども利用可能である。或いは、熱機関の機械的出力の一部、発電機の電気出力の一部で圧縮機（２１）を駆動することも可能である。
【００１１】
さらに、本発明の複合空調装置（Ａ、Ｂ）では、冷房負荷である室内側を暖房負荷とすることが可能である。すなわち、暖房運転可能に構成されている。
【発明の効果】
【００１２】
上述した構成を具備する本発明によれば、吸収冷温水機（１）の蒸発器（１３）で冷熱が投入されることにより、その分だけ、圧縮機（２１）が行うべき仕事が減少し、消費電力を節約することが出来る。そのため、従来技術に比較して、定格運転時の省エネルギ効果が高い。
【００１３】
また、本発明によれば、圧縮機（２１）による圧縮式冷凍サイクルと、ポンプ（２２）を使用した冷凍サイクルとを、運転条件により切り換えることが出来る。すなわち、運転条件に対応して、適正な運転を行うことが出来る。
【００１４】
さらに本発明によれば、排熱を投入可能な吸収冷温水機（例えば、いわゆる排熱焚吸収冷温水機）を備えているので、冷暖房運転において排熱を有効利用することができる。その結果、省エネルギ効果が高く、効率的な運転が可能である。
【００１５】
これに加えて本発明によれば、排熱を利用することにより、圧縮式冷凍機側で、暖房運転が可能である。従来の圧縮式冷凍機とその他の機構とを組み合わせて構成された空調装置（複合空調装置）では、冷房運転のみが可能であり、暖房運転は行うことが出来ないようなタイプも存在するが、本発明では、冷房運転のみならず、暖房運転も行うことが出来るのである。
【発明を実施するための最良の形態】
【００１６】
以下、添付図面を参照して、本発明の実施形態について説明する。
【００１７】
先ず、図１〜図７を参照して、第１実施形態を説明する。
図１において、全体を符号Ａで示す複合空調装置は吸収冷温水機1を有し、吸収冷温水機１は、排熱を投入可能に構成された再生器１１と、凝縮器１２と、蒸発器１３と、吸収器１４とを有している。
【００１８】
前記再生器１１には、図示の例では、発電機２の排熱が排熱ラインＬｈによって投入される。
その排熱ラインＬｈは、一端が発電機２の排熱排出側２ｏに接続され、他端が３方弁３に接続され搬送ポンプ４及び温度センサＳｔｈを介装した配管（領域）Ｌｈ１と、３方弁３に一端が接続され且つ吸収冷温水機１の再生器１１を介して合流点Ｇｈに至る配管Ｌｈ２と、合流点Ｇｈと発電機２とを連通する配管Ｌｈ３と、３方弁３に一端が接続され前記合流点Ｇｈで配管Ｌｈ２と合流する分岐配管Ｌｈ４、とによって構成されている。
【００１９】
前記分岐配管Ｌｈ４は第１の熱交換器５を経由している。そして、配管Ｌｈ４は、前記吸収冷温水機１の再生器１１を経由する配管Ｌｈ２と合流して、配管Ｌｈ３となり、発電機２の流入側２ｉに連通している。
【００２０】
前記凝縮器１２には、冷却塔６を循環する冷却水循環ラインＬｗによって冷却水の冷熱が与えられる。
その冷却水循環ラインＬｗは、一端が冷却塔６の冷却水排出側６ｏに接続され、他端が３方弁７に接続され冷却水搬送ポンプ８を介装した配管Ｌｗ１と、３方弁７に一端が接続され且つ合流点Ｇｗに連通して配管Ｌｗ４に接続される配管Ｌｗ２と、３方弁７に一端が接続され前記合流点Ｇｗで前記配管Ｌｗ２と合流して配管Ｌｗ４に連通する分岐配管Ｌｗ３と、合流点Ｇｗと冷却塔６とを連通する配管Ｌｗ４、とによって構成されている。
【００２１】
前記分岐配管Ｌｗ３は第２の熱交換器９を経由している。また、前記配管Ｌｗ２は前記吸収冷温水機１の吸収器１４及び凝縮機１２を経由している。さらに、前記配管Ｌｗ４は、一端ではＬｗ２及びＬｗ３とが合流しており、他端が冷却塔６２の流入側６ｉに接続されている。
【００２２】
また、当該複合空調装置Ａは、圧縮機２１と、冷媒を循環させる冷媒ポンプ２２と、冷媒負荷である室内機（蒸発器）２０とを有すると共に、前記吸収冷温水機１の蒸発器１３と前記圧縮機２１と冷媒ポンプ２２と室内機（蒸発器）２０とを連通・循環する冷媒循環ラインＬを備えている。
ここで、圧縮機２１と冷媒ポンプ２２とは、並列に配置されている。
【００２３】
その冷媒ラインＬにおいて、室内機である蒸発器２０に一端を接続された冷媒配管Ｌ１には膨張弁Ｖｘ２が介装されており、配管Ｌ１の他端が流路切換え弁（４方弁）ＶｃのポートＰ１に接続されている。
図１の状態では、その４方弁ＶｃのポートＰ１に連通するポートＰ２に冷媒配管Ｌ２が接続され、その冷媒配管Ｌ２は分岐点Ｂ１で冷媒配管Ｌ３とＬ４とに分岐する。
【００２４】
冷媒配管Ｌ３には開閉弁Ｖ１と前記圧縮機２１が介装され、冷媒配管Ｌ４には開閉弁Ｖ２と前記冷媒ポンプ２２が介装され、その冷媒配管Ｌ３とＬ４は分岐点Ｂ２において合流する。
【００２５】
合流点Ｂ２には冷媒ラインＬ５の一端が接続され、その冷媒ラインＬ５の他端は前記４方弁ＶｃのポートＰ３に接続されている。また、図１の状態では、その４方弁ＶｃのポートＰ３に連通するポートＰ４に冷媒配管Ｌ６が接続され、その冷媒配管Ｌ６は分岐点Ｂ３で冷媒配管Ｌ７とＬ８とに分岐する。
【００２６】
冷媒配管Ｌ７には開閉弁Ｖ３が介装され、冷媒配管Ｌ８は前記第２の熱交換器９を経由すると共に開閉弁Ｖ４が介装され、その冷媒配管Ｌ７とＬ８は分岐点Ｂ４において合流する。
【００２７】
分岐点Ｂ４には冷媒ラインＬ９の一端が接続され、その冷媒ラインＬ９の他端の分岐点Ｂ５では冷媒配管Ｌ１０とＬ１１とに分岐する。
【００２８】
冷媒配管Ｌ１０には開閉弁Ｖ５が介装され、冷媒配管Ｌ１１は前記吸収冷温水機１の蒸発器１３を経由すると共に開閉弁Ｖ６が介装され、その冷媒配管Ｌ１０とＬ１１は分岐点Ｂ６において合流する。
【００２９】
合流点Ｂ６には冷媒ラインＬ１２の一端が接続され、その冷媒ラインＬ１２の他端の分岐点Ｂ７では冷媒配管Ｌ１３とＬ１４とに分岐する。
【００３０】
冷媒配管Ｌ１３には開閉弁Ｖ７が介装され、冷媒配管Ｌ１４は前記第１の熱交換器５を経由すると共に開閉弁Ｖ８が介装され、その冷媒配管Ｌ１３とＬ１４は分岐点Ｂ８において合流する。
【００３１】
分岐点Ｂ８に膨張弁Ｖｘ１を介装した冷媒配管Ｌ１５の一端が接続され、その冷媒配管Ｌ１５の他端は、前記室内機である蒸発器２０に接続され、冷媒配管Ｌ１〜Ｌ１５で全体が循環路（冷媒ライン）Ｌに構成されている。
【００３２】
図示の例では、吸収冷凍機（吸収冷温水機）１は発電機２の排熱で稼動しているが、排熱源は発電機の排熱に限定しない。熱機関や工場排熱なども利用可能である。あるいは、熱機関の機械的出力の一部、発電機の電気出力の一部で前記圧縮機２１を駆動することも可能である。
【００３３】
また、吸収式の蒸発器１３が圧縮式冷凍サイクルの一部を構成しており、圧縮式サイクルの凝縮器として、吸収式の蒸発器１３を利用する。
【００３４】
圧縮機２１と平行に冷媒ポンプ２２を設けたことが本願の特徴の一つである。
【００３５】
排熱が無くて、吸収冷凍機（吸収冷温水機）１が運転出来ない場合には、第２の熱交換器９を凝縮器とする。そして、冷却水循環ラインＬｗの冷却塔６を水冷式の冷却器として、第２の熱交換器９に凝縮熱を投入する。
【００３６】
排熱が十分にある場合は、冷房時には吸収冷凍機（吸収冷温水機）１を稼動し、暖房時であれば第１の熱交換器５から排熱を冷媒に投入する。
【００３７】
すなわち、第１及び第２の熱交換器５、９の何れを経由して、冷媒と熱交換をするか否かは、運転状態、排熱状態等に対応して、判断される。
【００３８】
冷却塔６を介装した冷却水循環系Ｌｗと熱交換する第２の熱交換器９がここに設けられているのは、第２の熱交換器９で冷却した後に、吸収式で冷却して、「過冷却」することが可能となるからである。
【００３９】
制御系は、先ず、制御手段であるコントロールユニット５０が有り、前記排熱ラインＬｈの排熱配管Ｌｈ１は温度センサＳｔｈが介装され、発電機２の排出側２ｏにおける（排熱の）温度を計測している。温度センサＳｔｈの検出結果は、信号ラインＬｉによって前記コントロールユニット５０に接続されている。
【００４０】
さらに、吸収冷温水機１の蒸発器１３には冷媒の温度および／又は圧力を検出するセンサＳｒ１が設けられ、室内機である蒸発器２０には冷媒の温度および／又は圧力を検出するセンサＳｒ２が設けてあり、何れも信号ラインＬｉでコントロールユニット５０に接続されている。
【００４１】
一方、前記圧縮機２１はインバータ２３を介装した制御信号ラインＬｏによって、また前記冷媒ポンプ２２はインバータ２４を介装した制御信号ラインＬｏによって共にコントロールユニット５０に接続されている。
【００４２】
次に、図２を参照して、圧縮式サイクルによる通常の冷房作動を説明する。
尚、以降の各冷房及び暖房サイクルを説明するに際し、閉止した開閉弁は塗り潰し、冷媒の流れない冷媒配管は破線で示す。
【００４３】
先ず、冷媒ポンプ２２を停止、圧縮機２１を稼動させ、開閉弁Ｖ１、Ｖ３、Ｖ６、Ｖ７を開放し、開閉弁Ｖ２、Ｖ４、Ｖ５、Ｖ８を閉止する。なお、膨張弁Ｖｘ２は全開状態であり、当該弁Ｖｘ２は存在しないのと同様な状態となっている。
【００４４】
圧縮機２１では、過熱冷媒蒸気が圧縮され、高温高圧の冷媒蒸気となって、冷媒配管Ｌ５、４方弁のポートＰ３、Ｐ４、冷媒配管Ｌ６、分岐点Ｂ３、冷媒配管Ｌ７、分岐点Ｂ４、冷媒配管Ｌ９、分岐点Ｂ５を経由して、冷媒配管Ｌ１１に至る。
【００４５】
冷媒配管Ｌ１１に至った高温高圧の冷媒蒸気は、吸収冷温水機１の蒸発器１３において熱を放出して凝縮し、高圧の液冷媒と化す。
そして、冷媒配管Ｌ１１、分岐点Ｂ６、冷媒配管Ｌ１２、分岐点Ｂ７、冷媒配管Ｌ１３、分岐点Ｂ８、冷媒配管Ｌ１５を経由して、冷媒配管Ｌ１５に介装された膨張弁Ｖｘ１に流入する。
【００４６】
膨張弁Ｖｘ１では、高圧の液冷媒は絞り作用によって、断熱膨張が行われ、圧力と温度を下げ、霧状になって室内機である蒸発器２０に流入する。
室内機である蒸発器２０では、室内空気から熱を吸収して気化し（蒸発し）等温膨張を続けることによって室内空気の冷房作用を果たす。
【００４７】
室内機である蒸発器２０で冷房作用を果たした過熱冷媒蒸気は、冷媒配管Ｌ１,４方弁のポートＰ１、Ｐ２を経由して前記圧縮機２１に流入し、再び同様のサイクルを繰り返す。
【００４８】
排熱が十分にあって、或いは、冷房負荷が小さくて（部分負荷運転時）、吸収式冷凍機だけで十分に運転が出来る（冷房負荷が賄える）場合がある。そのような状態の場合は、圧縮機を使用せずにポンプ２２を使用することで対応している。
【００４９】
図３を参照して、ポンプ２２で冷媒を搬送して冷房を行う場合の作動について説明する。
【００５０】
先ず、圧縮機２１を停止、冷媒ポンプ２２を稼動させ、開閉弁Ｖ２、Ｖ３、Ｖ６、Ｖ７を開放し、開閉弁Ｖ１、Ｖ４、Ｖ５、Ｖ８を閉止する。
４方弁Ｖｃは、図示では示されないが、内部機構によって、ポートＰ３とポートＰ１が連通し、ポートＰ４とポートＰ２が連通するように切り換えられている。
なお、膨張弁Ｖｘ１は全開であり、当該弁Ｖｘ１は存在しないのと同様な状態となっている。
【００５１】
冷媒ポンプ２２では、液冷媒が昇圧されて吐出され、冷媒配管Ｌ４、分岐点Ｂ２、冷媒配管Ｌ５、４方弁ＶｃのポートＰ３、Ｐ１を流れ、膨張弁Ｖｘ２で減圧された後、冷媒配管Ｌ１を経由して室内機である蒸発器２０に流入する。
【００５２】
蒸発器２０に流入した液冷媒は、蒸発する際に、室内空気から気化熱を奪い、室内空気を冷やすことにより冷房作用を果たし、蒸発器２０から冷媒配管Ｌ１５に排出される。
【００５３】
冷媒配管Ｌ１５の膨張弁Ｖｘ１は全開状態であり、そこを流れる冷媒は、冷媒配管Ｌ１５、分岐点Ｂ８、冷媒配管Ｌ１３、分岐点Ｂ７、冷媒配管Ｌ１２、分岐点Ｂ６を経由して、冷媒配管Ｌ１１に至る。
【００５４】
冷媒配管Ｌ１１に至った低圧の冷媒蒸気は、吸収冷温水機１の蒸発器１３において熱を放出して凝縮し、液冷媒と化す。
そして、冷媒配管Ｌ１１、分岐点Ｂ５、冷媒配管Ｌ９、分岐点Ｂ４、冷媒配管Ｌ７、分岐点Ｂ３、冷媒配管Ｌ６、４方弁のポートＰ４、Ｐ２、冷媒配管Ｌ２、分岐点Ｂ１、冷媒配管Ｌ１４を経由して、冷媒ポンプ２２に戻され、再び同様のサイクルを繰り返す。
【００５５】
上述したように、冷房運転では、吸収冷温水機１の蒸発器１３で冷熱が投入されることにより、圧縮機２１の消費電力が減少する。
通常の圧縮式冷房サイクル（図２）の場合は、低圧液相冷媒の方が、気化し易いのに対して、排熱が十分にあって、或いは、冷房負荷が小さくて（部分負荷運転時）、吸収式冷凍機だけで十分に運転が出来る（冷房負荷が賄える）場合（図３）は、ポンプ２２の運転のみで冷房を行う。
【００５６】
通常の圧縮式サイクルによる冷房運転を行うか、ポンプにより冷媒を搬送する運転を行うかについての判断（選択制御）について、図４を参照して以下で説明する。
【００５７】
先ず、ステップＳ１において、吸収式冷凍機（吸収冷温水機）１の蒸発器１３（図１参照）の温度及び／又は圧力をセンサＳｒ１（図１参照）で計測する。すなわち、吸収式冷凍機１の蒸発器１３における蒸発圧力、或いは圧縮側における冷媒凝縮圧力を示す指標となるパラメータを、測定する。
【００５８】
次のステップＳ２では、コントロールユニット５０は、この温度、圧力が、閾値（ケース・バイ・ケースで設定される）以上であれば（ステップＳ２のＹＥＳ）、通常の圧縮式サイクルにより冷房するべく圧縮機２１を稼動させる（ステップＳ３：図２の作動図参照）。
【００５９】
一方、温度、圧力が閾値よりも低温或いは低圧になれば（ステップＳ２のＮＯ）、ポンプ搬送による冷房運転に切り換える（ステップＳ４：図３の作動図参照）。即ち、冷媒ポンプ２２を稼動させる。
【００６０】
ステップＳ５では、コントロールユニット５０は、制御を終了するか否かを判断しており、終了するなら（ステップＳ５のＹＥＳ）、そのまま終了し、終了しないのであれば（ステップＳ５のＮＯ）、ステップＳ１まで戻り、再びステップＳ１以降を繰り返す。
【００６１】
次に、図５を参照して、排熱温度が低く（いわゆる「排熱がない」状態）、圧縮式サイクルを用いた暖房運転について説明する。
ここで、図７を参照して後述する様に、排熱温度が閾値よりも高温である場合（いわゆる「排熱がある」場合）は、ポンプ２２による搬送を行い、熱交換器５を使用する。一方、図５で説明する場合の様に、排熱温度が閾値以下の低温である場合（いわゆる「排熱がない」場合）は、圧縮機２１による搬送を行い、熱交換器９を使用する。
暖房時に吸収冷凍機を動かすと、補助動力等でエネルギを消費してしまう。そのため、排熱を利用し且つポンプ２２で冷媒を搬送する方が、省エネルギの要請と合致する。そのため、本実施形態では、なるべく排熱を利用し且つポンプ２２で冷媒を搬送し、以って、消費電力を減らすというコンセプトの下で運転制御を行っている。
【００６２】
図５で示す場合、すなわち、排熱温度が低く（いわゆる「排熱がない」状態）、圧縮機２１を用いて暖房運転を行う場合には、冷媒ポンプ２２を停止して、圧縮機２１を稼動させるべく、開閉弁Ｖ１を開放し、開閉弁Ｖ２を閉止する。そして、開閉弁Ｖ４、Ｖ５、Ｖ７を開放し、開閉弁Ｖ３、Ｖ６、Ｖ８を閉止する。そして、膨張弁Ｖｘ２は全開状態として、当該弁Ｖｘ２が存在しないのと同様にせしめる。
尚、４方弁Ｖｃは、図示では示されないが、内部機構によって、ポートＰ３とポートＰ１が連通し、ポートＰ４とポートＰ２が連通するように切り換えられている。
【００６３】
開閉弁Ｖ３が閉止して、開閉弁Ｖ４が開放されることにより、図５で示す場合において、圧縮式冷凍サイクルを循環する冷媒は、熱交換器９を介して、冷却水循環ラインＬｗを循環する冷却水から蒸発熱を得る。なお、熱交換機９を介して冷媒に蒸発熱を投入して、冷却水の温度が凍結温度近傍まで低下した場合には、冷却塔６を稼動して、冷却水と大気との熱交換を行い、大気が保有する熱量により冷却水温度を昇温せしめる。
【００６４】
開閉弁Ｖ５が開放されて、開閉弁Ｖ６が閉止されるので、図５で示す場合において、圧縮式冷凍サイクルを循環する冷媒は、吸収冷温水機１をバイパスする。
さらに、開閉弁Ｖ７が開放されて、開閉弁Ｖ８が閉止されるので、図５で示す場合において、圧縮式冷凍サイクルを循環する冷媒は熱交換器５をバイパスする。
【００６５】
圧縮機２１では、冷媒蒸気が昇圧されて高温高圧の冷媒蒸気となって吐出され、冷媒配管Ｌ３、分岐点Ｂ２、冷媒配管Ｌ５、４方弁ＶｃのポートＰ３、Ｐ１、冷媒配管Ｌ１、全開状態の膨張弁Ｖｘ２を経由して、室内機である蒸発器２０に流入する。
【００６６】
蒸発器２０に流入した高温高圧の冷媒蒸気は、室内の空気に凝縮熱（潜熱）を投入して凝縮することによって、室内を暖房する。凝縮した冷媒は、高圧の液冷媒となって、蒸発器２０から冷媒配管Ｌ１５に排出される。
【００６７】
高圧液冷媒は、冷媒配管Ｌ１５に介装された膨張弁Ｖｘ１により減圧されて、低圧の液冷媒となって、配管Ｌ１５、分岐点Ｂ８、冷媒配管Ｌ１３、開閉弁Ｖ７を経由して（換言すれば熱交換器５をバイパスして）、冷媒配管Ｌ１２を流れる。
そして、冷媒配管Ｌ１２を流れる低圧の液冷媒は、分岐点Ｂ６、冷媒配管Ｌ１０、開閉弁Ｖ５を経由して（換言すれば吸収冷温水機１をバイパスして）、冷媒配管９を流れる。
【００６８】
冷媒配管９を流れる低圧の液冷媒は、分岐点Ｂ４、冷媒配管Ｌ８を経由して、熱交換器５に到達する。熱交換器５において、冷却水循環ラインＬｗの冷却水から蒸発熱を投入されるので、低圧の液冷媒は蒸発して、低圧の冷媒蒸気となる。
【００６９】
低圧の冷媒蒸気は、第１の熱交換器５から、冷媒配管Ｌ８、開閉弁Ｖ４、分岐点Ｂ３、冷媒配管Ｌ６、４方弁のポートＰ４、Ｐ２、冷媒配管Ｌ２、分岐点Ｂ１、冷媒配管Ｌ３を経由して、圧縮機２１に戻される。そして、同様のサイクルを繰り返す。
【００７０】
次に、図６を参照して、排熱温度が比較的高く（いわゆる「排熱がある」状態）、ポンプ２２で冷媒を搬送して暖房運転を行う場合の作動について以下で説明する。
【００７１】
先ず、圧縮機２１を停止、冷媒ポンプ２２を作動させ、開閉弁Ｖ１を開放し、開閉弁Ｖ２を閉止する。
そして、開閉弁Ｖ３、Ｖ５、Ｖ８を開放し、開閉弁Ｖ４、Ｖ６、Ｖ７を閉止する。そして、膨張弁Ｖｘ１は全開状態として、当該弁Ｖｘ１が存在しないのと同様にせしめる。
【００７２】
ここで、開閉弁Ｖ３が開放されて、開閉弁Ｖ４が閉止されるので、図６で示す場合において、循環する冷媒は熱交換器９をバイパスする。
また、開閉弁Ｖ５が開放されて、開閉弁Ｖ６が閉止されるので、図６で示す場合において、循環する冷媒は、吸収冷温水機１をバイパスする。
尚、４方弁Ｖｃは、図示では示されないが、内部機構によって、ポートＰ１とポートＰ２が連通し、ポートＰ３とポートＰ４が連通するように切換えられている。
【００７３】
冷媒ポンプ２２では、低圧の液冷媒が昇圧されて高圧液冷媒となって吐出され、冷媒配管Ｌ４、分岐点Ｂ２、冷媒配管Ｌ５、４方弁ＶｃのポートＰ３、Ｐ４、冷媒配管Ｌ６を経由して分岐点Ｂ３に至る。
【００７４】
分岐点Ｂ３からは、冷媒配管Ｌ７、開閉弁Ｖ３、分岐点Ｂ４、冷媒配管Ｌ９、分岐点Ｂ５、冷媒配管Ｌ１０、分岐点Ｂ６、冷媒配管Ｌ１２、分岐点Ｂ７を経由して、冷媒配管Ｌ１４の熱交換器５に流入する。
【００７５】
熱交換器５に流入した高圧液冷媒は、排熱循環ラインＬｈを流過する発電機２の排熱から蒸発熱を投入されて蒸発し、高圧の冷媒蒸気となり、第１の熱交換器５から冷媒配管Ｌ１５に排出される。
【００７６】
高圧の冷媒蒸気は、冷媒配管Ｌ１５、全開状態の膨張弁Ｖｘを経由して、室内機である蒸発器２０に流入する。蒸発器２０内で、高圧の冷媒蒸気は、室内の空気に凝縮熱を投入することによって、室内を暖房して凝縮する。
凝縮した冷媒は高圧の液冷媒となり、冷媒配管Ｌ１に介装された膨張弁Ｖｘ２により減圧され、低圧の液冷媒となって冷媒配管Ｌ１を流れ、４方弁のポートＰ１、Ｐ２、冷媒配管Ｌ２、分岐点Ｂ１を経由して、冷媒配管Ｌ４の冷媒ポンプ２２に戻される。そして、同様のサイクルを繰り返す。
【００７７】
ここで、暖房運転を行うに際して、「圧縮式サイクルによる運転を行う」か、「ポンプで冷媒を搬送して行う」かについては、図７を参照して以下に説明する様に、排熱温度で判断される。
次に、図７を参照して、係る制御について説明する。
【００７８】
先ず、ステップＳ１１において、排熱循環ラインＬｈに設けた温度センサＳｔｈ（図１参照）を用いて排熱の温度を計測する。
【００７９】
次のステップＳ１２では、コントロールユニット５０は、排熱温度が、閾値以上であるか否かを判断し、閾値以下であれば（ステップＳ１２のＹＥＳ）、通常の圧縮式サイクルにより暖房する（ステップＳ１３：図５の作動図参照）。
【００８０】
排熱温度が閾値よりも高ければ（ステップＳ１２のＮＯ）、ポンプ搬送による暖房運転に切り換える（ステップＳ１４：図６の作動図参照）。
【００８１】
ステップＳ１５では、コントロールユニット５０は、制御を終了するか否かを判断しており、流量するなら（ステップＳ１５のＹＥＳ）、そのまま終了し、終了しないのであれば（ステップＳ１５のＮＯ）、ステップＳ１１まで戻り、再びステップＳ１１以降を繰り返す。
【００８２】
図１〜図７の第１実施形態では、圧縮式サイクルによる冷房（暖房）運転時と、ポンプを利用する冷凍（暖房）運転時とでは、冷媒の流れの向きが変わる。したがって、切換の際に、冷媒を逆流させなければならない、という不都合が生じる。
そのため、圧縮機を用いたサイクルと、ポンプを用いたサイクルとで、冷媒の流れの向きが変わらない様にしたいという要請がある。
係る要請に応えたのが、図８〜図１３で示す第２実施形態である。
【００８３】
図８〜図１３を参照して第２実施形態を説明する。
尚、第１実施形態に対して、同様の機能を果たす部材には同様の符号を付す。
【００８４】
図８において、全体を符号Ｃで示す複合空調装置は、再生器１１と凝縮器１２と蒸発器１３と（図示しない吸収器）で構成された吸収冷温水機1を有している。
【００８５】
前記再生器１１には、図示の例では、発電機２の排熱が排熱ラインＬｈによって与えられる。
その排熱ラインＬｈは、一端が発電機２の排熱排出側２ｏに接続された冷媒配管Ｌｈ１と、その冷媒ラインＬｈ１の他端である分岐点Ｂｈ１で分岐する冷媒ラインＬｈ２、Ｌｈ４と、冷媒ラインＬｈ４、Ｌｈ２の他端である分岐点（合流点）Ｂｈ２に一端が接続され、前記発電機２の流入側２ｉに接続される冷媒配管Ｌｈ４とによって構成されている。
【００８６】
前記冷媒配管Ｌｈ１には、排熱搬送用のポンプ４が介装されている。また、前記冷媒配管Ｌｈ２は、前記吸収冷温水機１の再生器１１を経由している。そして、前記分岐配管Ｌｈ４は第１の熱交換器５を経由しており、前記分岐点Ｂｈ２において前記冷媒配管Ｌｈ２と合流している。
【００８７】
前記凝縮器１２には、冷却塔６を循環する冷却水循環ラインＬｗによって冷却水の冷熱が与えられる。
その冷却水循環ラインＬｗは、一端が冷却塔６の冷却水排出側６ｏに接続された冷却水配管Ｌｗ１と、その冷却水配管Ｌｗ１の他端である分岐点Ｂｗ１で分岐する冷却水配管Ｌｗ２、Ｌｗ３と、冷却水配管Ｌｗ２、Ｌｗ３の他端である分岐点（合流点）Ｂｗ２に一端が接続され、前記冷却塔６の流入側６ｉに接続される冷媒配管Ｌｗ４とによって構成されている。
【００８８】
前記冷却水配管Ｌｗ１には、冷却水搬送用のポンプ８が介装されている。また、前記冷却水配管Ｌｗ２は、前記吸収冷温水機１の凝縮器１２を経由している。そして、前記冷却水配管Ｌｗ３は第２の熱交換器９を経由しており、前記分岐点Ｂｗ２において前記冷却水配管Ｌｗ２と合流している。
【００８９】
また、当該複合空調装置Ｃは、圧縮機２１と、冷媒を循環させる冷媒ポンプ２２と、冷媒負荷である室内機（蒸発器）２０とを有すると共に、前記吸収冷温水機１の蒸発器１３と前記圧縮機２１と冷媒ポンプ２２と室内機（蒸発器）２０とを連通・循環する冷媒循環ラインＬを備えている。
【００９０】
その冷媒循環ラインＬは、室内機である蒸発器２０に一端を接続した冷媒配管Ｌ１を有している。その冷媒配管Ｌ１の他端である分岐点Ｂ１において、冷媒配管Ｌ３、Ｌ４に分岐している（Ｌ２は欠番）。
【００９１】
前記冷媒配管Ｌ３には開閉弁Ｖ１が介装され、第１の流路切換弁（４方弁）Ｖｃ１のポートＰ１に接続されている。また、冷媒配管Ｌ４には開閉弁Ｖ２が介装され、分岐点Ｂ３に接続されている。
【００９２】
図８の状態では、その４方弁ＶｃのポートＰ１に連通するポートＰ２に冷媒配管Ｌ５が接続されている。その冷媒配管Ｌ５は圧縮機２１が介装され、第１の４方弁Ｖｃ１のポートＰ３に接続されている。第１の４方弁Ｖｃ１のポートＰ３に連通するポートＰ４に冷媒配管Ｌ６が接続され、冷媒配管Ｌ６の他端が前記分岐点Ｂ３で前記冷媒配管Ｌ４に合流している。
【００９３】
その分岐点Ｂ３では、さらに冷媒配管Ｌ７とＬ８とに分岐している。冷媒配管Ｌ７には開閉弁Ｖ３が介装されている。冷媒配管Ｌ８は前記第２の熱交換器９を経由すると共に開閉弁Ｖ４が介装され、その冷媒配管Ｌ７とＬ８は分岐点Ｂ４において合流する。
【００９４】
分岐点Ｂ４には冷媒ラインＬ９の一端が接続され、その冷媒ラインＬ９の他端の分岐点Ｂ５では冷媒配管Ｌ１０とＬ１１とに分岐する。
【００９５】
冷媒配管Ｌ１０には開閉弁Ｖ５が介装され、冷媒配管Ｌ１１は前記吸収冷温水機１の蒸発器１３を経由すると共に開閉弁Ｖ６が介装され、その冷媒配管Ｌ１０とＬ１１は分岐点Ｂ６において合流する。
【００９６】
合流点Ｂ６には冷媒ラインＬ１２の一端が接続され、その冷媒ラインＬ１２の他端の分岐点Ｂ７では冷媒配管Ｌ１３とＬ１４とに分岐する。
【００９７】
冷媒配管Ｌ１３には開閉弁Ｖ７が介装されている。冷媒配管Ｌ１４は前記第１の熱交換器５を経由すると共に開閉弁Ｖ８が介装され、その冷媒配管Ｌ１３とＬ１４は分岐点Ｂ８において合流する。
【００９８】
分岐点Ｂ８には冷媒ラインＬ１５の一端が接続され、他端である分岐点Ｂ９では、開閉弁Ｖ９を介装した冷媒配管Ｌ１６と、開閉弁Ｖ１０を介装したＬ１７とに分岐している。
【００９９】
冷媒配管Ｌ１７は第２の４方弁Ｖｃ２のポートＰ１に接続されている。また第２の４方弁Ｖｃ２のポートＰ１は、図示の状態ではポートＰ２と連通しており、そのポートＰ２は冷媒ポンプ２２を介装した冷媒配管Ｌ１８と接続している。
【０１００】
冷媒配管Ｌ１８の他端は、第２の４方弁Ｖｃ２のポートＰ３に接続されている。また第２の４方弁Ｖｃ２のポートＰ３は、図示の状態ではポートＰ４と連通しており、そのポートＰ４は冷媒配管Ｌ１９と接続している。
【０１０１】
冷媒配管Ｌ１９の他端は、前記冷媒配管Ｌ１６の他端と分岐点（合流点）Ｂ１０において合流している。
【０１０２】
その分岐点Ｂ１０には、第１の膨張弁Ｖｘ１を介装した冷媒配管Ｌ２０の一端が接続され、その冷媒配管Ｌ２０の他端は、前記室内機である蒸発器２０に接続され、冷媒配管Ｌ１〜Ｌ２０で全体が循環路（冷媒ライン）Ｌに構成されている。
【０１０３】
図示の例では、吸収冷凍機（吸収冷温水機）１は発電機２の排熱で稼動しているが、排熱源は発電機の排熱に限定しない。
【０１０４】
次に、図９を参照して、圧縮式サイクルによる冷房作動を以下に説明する。
尚、以降の各冷房及び暖房サイクルを説明するに際し、閉止した開閉弁は塗り潰し、冷媒の流れない冷媒配管は破線で示す。
【０１０５】
先ず、冷媒ポンプ２２を停止、圧縮機２１を稼動させ、開閉弁Ｖ１、Ｖ３、Ｖ６、Ｖ７、Ｖ９を開放し、開閉弁Ｖ２、Ｖ４、Ｖ５、Ｖ８、Ｖ１０を閉止する。
【０１０６】
圧縮機２１では、過熱冷媒蒸気が圧縮され、高温高圧の冷媒蒸気となって、冷媒配管Ｌ５、第１の４方弁Ｖｃ１のポートＰ３、Ｐ４、冷媒配管Ｌ６、分岐点Ｂ３、冷媒配管Ｌ７、分岐点Ｂ４、冷媒配管Ｌ９、分岐点Ｂ５を経由して、冷媒配管Ｌ１１に至る。
【０１０７】
冷媒配管Ｌ１１に至った高温高圧の冷媒蒸気は、吸収冷温水機１の蒸発器１３において熱を放出して凝縮し、高圧の液冷媒と化す。
そして、冷媒配管Ｌ１１、分岐点Ｂ６、冷媒配管Ｌ１２、分岐点Ｂ７、冷媒配管Ｌ１３、分岐点Ｂ８、冷媒配管Ｌ１５、分岐点Ｂ９、冷媒配管Ｌ１６、分岐点Ｂ１０を経由して、冷媒配管Ｌ２０に介装された第１の膨張弁Ｖｘ１に流入する。
【０１０８】
第１の膨張弁Ｖｘ１では、高圧の液冷媒は絞り作用によって、断熱膨張が行われ、圧力と温度を下げ、霧状になって室内機である蒸発器２０に至る。蒸発器２０では、室内空気から熱を吸収して気化し（蒸発し）等温膨張を続けることによって室内空気の冷房作用を果たす。
【０１０９】
室内機である蒸発器２０で冷房作用を果たした過熱冷媒蒸気は、冷媒配管Ｌ１、分岐点Ｂ１、冷媒配管Ｌ３、第１の４方弁Ｖｃ１のポートＰ１、Ｐ２を経由して、前記圧縮機２１に流入し、再び同様のサイクルを繰り返す。
【０１１０】
図１０を参照して、第２実施形態における、ポンプ２２で冷媒を搬送して冷房を行う場合の作動について説明する。
【０１１１】
先ず、圧縮機２１を停止、冷媒ポンプ２２を作動させ、開閉弁Ｖ２、Ｖ３、Ｖ６、Ｖ７、Ｖ１０を開放し、開閉弁Ｖ１、Ｖ４、Ｖ５、Ｖ８、Ｖ９を閉止する。
尚、第２の４方弁Ｖｃ２は、図示では示されないが、内部機構によって、ポートＰ１とポートＰ３が連通し、ポートＰ２とポートＰ４が連通するように切換えられている。
【０１１２】
冷媒ポンプ２２では、液冷媒が昇圧されて吐出され、冷媒配管Ｌ１８、第２の４方弁Ｖｃ２のポートＰ２、Ｐ４、冷媒配管Ｌ１９、分岐点Ｂ１０を経由して例外配管Ｌ２０に介装された第１の膨張機Ｖｘ１に流入する。
【０１１３】
高温高圧の液冷媒は、第１の膨張機Ｖｘ１において膨張減圧されて霧状になり、冷媒配管Ｌ２０を経由して室内機である蒸発器２０に流入する。
【０１１４】
蒸発した霧状の冷媒（低圧の冷媒）は、蒸発器２０において蒸発する際に、室内空気から気化熱を奪い、室内空気を冷やすことにより冷房作用を果たす。蒸発した冷媒は低圧の冷媒蒸気となり、蒸発器２０から冷媒配管Ｌ１に排出される。
【０１１５】
低圧の冷媒蒸気は、配管Ｌ１、分岐点Ｂ１、冷媒配管Ｌ４、分岐点Ｂ３、冷媒配管Ｌ７、分岐点Ｂ４、冷媒配管Ｌ９、分岐点Ｂ５を経由して、冷媒配管Ｌ１１に至る。
【０１１６】
冷媒配管Ｌ１１に至った低圧の冷媒蒸気は、吸収冷温水機１の蒸発器１３において熱を放出して凝縮して、低圧の液冷媒となる。
低圧の液冷媒は、冷媒配管Ｌ１１、分岐点Ｂ６、冷媒配管Ｌ１２、分岐点Ｂ７、冷媒配管Ｌ１３、分岐点Ｂ８、冷媒配管Ｌ１５、分岐点Ｂ９、冷媒配管Ｌ１７、第２の４方弁Ｖｃ２のポートＰ１、Ｐ３、冷媒配管Ｌ１８を経由して、冷媒ポンプ２２に戻される。そして、同様のサイクルを繰り返す。
【０１１７】
次に、図１１を参照して、第２実施形態の複合空調機Ｃの圧縮式サイクルを用いた暖房運転について説明する。
ここで、第２実施形態の場合も、第１実施形態と同様に、暖房運転時には、排熱が閾値よりも低温である場合（いわゆる「排熱がない」状態）では、圧縮機２１を作動を作動し、冷媒は熱交換器９を経由して、冷却水循環ラインＬｗを流れる冷却水から熱を貰う。
一方、排熱が閾値以上の高温である場合（いわゆる「排熱がある」状態）では、冷媒ポンプ２２を作動し、冷媒は熱交換器５を経由して、排熱循環ラインＬｈを流れる排熱を投入される。
【０１１８】
図１１で示す暖房サイクルでは、圧縮機２１を作動して冷媒を循環させ、冷媒ポンプ２２は停止する。そのため、開閉弁Ｖ１を開放し、開閉弁Ｖ２を閉止する。
それと共に、開閉弁Ｖ４、Ｖ５、Ｖ７、Ｖ９を開放し、開閉弁Ｖ３、Ｖ６、Ｖ８、Ｖ１０を閉止する。ここで、開閉弁Ｖ４を開放して開閉弁Ｖ３を閉止することにより、冷媒を熱交換器９を経由せしめ、開閉弁Ｖ５を開放して開閉弁Ｖ６を閉止することにより、冷媒が吸収冷温水機１をバイパスし、開閉弁Ｖ７を開放して開閉弁Ｖ８を閉止することにより、冷媒が熱交換器５をバイパスしている。
尚、第１の４方弁Ｖｃ１は、図示では示されないが、内部機構によって、ポートＰ３とポートＰ１が連通し、ポートＰ４とポートＰ２が連通するように切り換えられている。
【０１１９】
圧縮機２１では、冷媒蒸気が昇圧されて高温高圧の冷媒蒸気となって吐出され、該高圧の冷媒は、冷媒配管Ｌ５、第１の４方弁Ｖｃ１のポートＰ３、Ｐ１、冷媒配管Ｌ３、分岐点Ｂ１、冷媒配管Ｌ５を経由して冷媒配管Ｌ１を流れ、室内機である蒸発器２０に流入する。
【０１２０】
蒸発器２０に流入した高圧の冷媒蒸気は、室内の空気に気化熱を与え、凝縮することによって室内を暖房する。凝縮した冷媒は高圧の液冷媒となって、蒸発器２０から冷媒配管Ｌ２０に排出される。
【０１２１】
冷媒配管Ｌ２０を流れる高圧の液冷媒は第１の膨張弁Ｖｘ１で減圧されて、低圧の液冷媒となって、分岐点Ｂ１０、配管Ｌ１６、分岐点Ｂ９、冷媒配管Ｌ１５、分岐点Ｂ８を経由して、冷媒配管Ｌ１３及び開閉弁Ｖ７を流過し、熱交換器５をバイパスする。
熱交換器５をバイパスして冷媒配管Ｌ１３及び開閉弁Ｖ７を流過した低圧の液冷媒は、冷媒配管Ｌ１４、分岐点Ｂ７、冷媒配管Ｌ１２、分岐点Ｂ６、冷媒配管Ｌ１０を流れ、吸収冷温水機１はバイパスする。そして、吸収冷温水機１をバイパスした低圧の液冷媒は、分岐点Ｂ５、冷媒配管Ｌ９、分岐点Ｂ４、冷媒配管Ｌ８、開閉弁Ｖ４を介して、熱交換器９に流入する。
【０１２２】
熱交換器９において、低圧の液冷媒は、冷却水循環ラインＬｗを流れる冷却水から気化熱を投入されて蒸発し、低圧の冷媒蒸気となる。
なお、第１実施形態と同様に、冷却水循環ラインＬｗを流れる冷却水が凍結温度近傍まで降温した場合には、冷却塔６を稼動して、大気中の熱量を冷却水循環ラインＬｗを流れる冷却水内に取り込む様になっている。
熱交換器９で蒸発した低圧の冷媒蒸気は、分岐点Ｂ３、冷媒配管Ｌ６、第１の４方弁Ｖｃ１のポートＰ４、Ｐ３、冷媒配管Ｌ５を経由して、圧縮機２１に戻される。そして、同様のサイクルを繰り返す。
【０１２３】
次に、図１２を参照して、冷媒ポンプ２２で冷媒を搬送して暖房運転を行う場合の作動について説明する。
【０１２４】
図１２のサイクルでは、圧縮機２１を停止し、冷媒ポンプ２２を作動させるので、開閉弁Ｖ２を開放し、開閉弁Ｖ１を閉止する。それと共に、開閉弁Ｖ３、Ｖ５、Ｖ８、Ｖ１０を開放し、開閉弁Ｖ４、Ｖ６、Ｖ７、Ｖ９を閉止する。
ここで、開閉弁Ｖ４を閉止して開閉弁Ｖ３を開放することにより、冷媒は熱交換器９をバイパスし、開閉弁Ｖ５を開放して開閉弁Ｖ６を閉止することにより、冷媒が吸収冷温水機１をバイパスし、開閉弁Ｖ７を閉止して開閉弁Ｖ８を開放することにより、冷媒は熱交換器５を経由する。
尚、第２の４方弁Ｖｃ２は、図示では示されないが、内部機構によって、ポートＰ４とポートＰ３が連通し、ポートＰ２とポートＰ１が連通するように切り換えられている。
【０１２５】
冷媒ポンプ２２では、低圧の液冷媒が昇圧されて高圧液冷媒となって吐出され、冷媒配管Ｌ１８、第２の４方弁Ｖｃ２のポートＰ２、Ｐ１、冷媒配管Ｌ１７を経由して分岐点Ｂ９に至る。
【０１２６】
分岐点Ｂ９からは、冷媒配管Ｌ１５、分岐点Ｂ８を経由して、冷媒配管Ｌ１４の第１の熱交換器５に流入する。
【０１２７】
第１の熱交換器５に流入した高圧液冷媒は、当該熱交換器５において、排熱循環ラインＬｈを循環する発電機２の排熱から気化熱を投入されて蒸発し、高圧の冷媒蒸気となる。
高圧の冷媒蒸気は、冷媒配管Ｌ１４、分岐点Ｂ７、冷媒配管Ｌ１２、分岐点Ｂ６、冷媒配管Ｌ１０を流れて、吸収冷温水機１はバイパスする。吸収冷温水機１をバイパスした高圧の冷媒蒸気は、分岐点Ｂ５、冷媒配管Ｌ９、分岐点Ｂ４、冷媒配管Ｌ７を流れて、熱交換器９はバイパスする。熱交換器９をバイパスした高圧の冷媒蒸気は、分岐点Ｂ３、冷媒配管Ｌ４、分岐点Ｂ１を経由して、圧縮機２１をバイパスして、冷媒配管Ｌ１を流れる。
【０１２８】
冷媒配管Ｌ１を流れる高圧の冷媒蒸気は、室内機である蒸発器２０に流入する。蒸発器２０内で、高圧の冷媒蒸気は、室内の空気に気化熱を与えることによって、室内を暖房して凝縮する。
凝縮した冷媒は高圧の液冷媒となって、冷媒配管Ｌ２０を流れ、膨張弁Ｖｘ１で膨張、減圧して、低圧の液冷媒となる。そして、低圧の液冷媒は、分岐点Ｂ１０、第２の４方弁のポートＰ４、Ｐ３を経由して、冷媒配管Ｌ１８の冷媒ポンプ２２に戻される。そして、同様のサイクルを繰り返す。
【０１２９】
次に、図１３を参照して第３実施形態を説明する。
前述した第１実施形態、第２実施形態では、単一の吸収冷温水機と単一の圧縮式冷凍機とを組み合わせたハイブリットタイプである。
【０１３０】
それに対して、図１３の第３実施形態では、排熱で駆動するタイプのものではない吸収冷温水機を使用している。
すなわち、図１３の第３実施形態の複合空調機Ｄでは、吸収冷温水機１Ｂで得た冷熱を、冷水ラインＬＢ及び熱交換器４０を介して、複数の圧縮式冷凍機３０に投入している。ここで、冷水１３ラインＬＢは、蒸発器１３Ｂを流過して冷熱が投入される水、すなわち冷水が循環するラインである。
【０１３１】
この冷水ラインＬＢと熱交換器４０に代えて、冷媒を合流し分配する機構を介装した冷媒ラインを設け、当該冷媒ラインを吸収冷温水機１Ｂの蒸発器１３Ｂに連通させても良い。
【０１３２】
図１３では冷房の場合のみを示している。
なお、図１３において、符号２２は、該蒸発器１３Ｂと前記熱交換器４０とを連通する冷水ラインＬＢに介装されて、冷水を循環させるための循環用ポンプを示す。
【０１３３】
図示の実施形態はあくまでも例示であり、本発明の技術的範囲を限定する趣旨の記述ではない旨を付記する。
例えば、図示の実施形態において、冷媒が流れる流路の切換には開閉弁、切換弁が使用されているが、三方弁を用いることも可能である。
また、発電機や熱機関の排熱を利用する旨が図示されているが、工場排熱やその他の各種排熱を利用しても良い。
【図面の簡単な説明】
【０１３４】
【図１】第１実施形態の構成を示すブロック図。
【図２】第１実施形態において、圧縮冷凍サイクルで冷房運転する際の作動を示すブロック図。
【図３】第１実施形態において、冷媒ポンプで冷房運転する際の作動を示すブロック図。
【図４】第１実施形態において、冷房運転方法を、通常の圧縮式冷房サイクルか、冷媒ポンプによる方法か、を選択する制御に関するフローチャート。
【図５】第１実施形態において、圧縮冷凍サイクルで暖房運転する際の作動を示すブロック図。
【図６】第１実施形態において、冷媒ポンプで暖房運転する際の作動を示すブロック図。
【図７】第１実施形態において、暖房運転方法を、通常の圧縮式冷房サイクルか、冷媒ポンプによる方法か、を選択する制御に関するフローチャート。
【図８】第２実施形態の構成を示すブロック図。
【図９】第２実施形態において、圧縮冷凍サイクルで冷房運転する際の作動を示すブロック図。
【図１０】第２実施形態において、冷媒ポンプで冷房運転する際の作動を示すブロック図。
【図１１】第２実施形態において、圧縮冷凍サイクルで暖房運転する際の作動を示すブロック図。
【図１２】第２実施形態において、冷媒ポンプで暖房運転する際の作動を示すブロック図。
【図１３】第３実施形態の構成の概要を示すブロック図。
【符号の説明】
【０１３５】
１・・・吸収式冷温水機
２・・・発電機
３、７・・・切換弁（３方弁）
４・・・搬送ポンプ
５・・・第１の熱交換器
６・・・冷却塔
８・・・冷却水搬送ポンプ
９・・・第２の熱交換器
１１・・・再生器
１２・・・凝縮器
１３・・・（吸収式冷温水機の）蒸発器
２０・・・（室内機の）蒸発器
２１・・・圧縮機
２２・・・冷媒ポンプ
２３、２４・・・インバータ
５０・・・コントロールユニット
Ｂ１〜Ｂ１０・・・室内熱交換器
Ｌ・・・冷媒循環ライン
Ｌｈ・・・排熱ライン
Ｌｗ・・・冷却水循環ライン
Ｓｒ１、Ｓｒ２・・・センサ
Ｓｐ・・・圧力センサ
Ｖ１〜Ｖ１０・・・開閉弁
Ｖｃ、Ｖｃ１、Ｖｃ２・・・方向切換弁（４方弁）
Ｖｘ、Ｖｘ１、Ｖｘ２・・・膨張弁
【図１】
2006038241.tif 000003
【図２】
2006038241.tif 000004
【図３】
2006038241.tif 000005
【図４】
2006038241.tif 000006
【図５】
2006038241.tif 000007
【図６】
2006038241.tif 000008
【図７】
2006038241.tif 000009
【図８】
2006038241.tif 000010
【図９】
2006038241.tif 000011
【図１０】
2006038241.tif 000012
【図１１】
2006038241.tif 000013
【図１２】
2006038241.tif 000014
【図１３】
2006038241.tif 000015